(57)【要約】【課題】  玉を積層状態で高速に流下させた際に、玉詰りを回避し、しかも高速の整列を確保できるように玉崩しレバーのような整列規制部材を設けることにより高速整列動作を可能にして過不足のない玉の流れを確保する。【解決手段】  玉３個高さより低いところから玉を最大２個高さに制限して通過させる通路高さを有する傾斜通路を設け、該傾斜通路には積層される玉が通路方向に互い違いの上層玉と下層玉との上下２段の千鳥状配列になる高さに規制する整列規制部材を備えることにより、信頼性の高い高速の整列動作を実現する。【選択図】  図９
2006043256.tif 000002
【特許請求の範囲】
【請求項１】
玉３個高さより低いところから玉を最大２個高さに制限して通過させる通路高さを有する傾斜通路を設け、該傾斜通路には積層される玉が通路方向に互い違いの上層玉と下層玉との上下２段の千鳥状配列になる高さに規制する整列規制部材を備えた玉整列機構。
【請求項２】
玉を１列に通過させる通路幅と、玉３個高さより低いところから玉を最大２個高さに制限して通過させる通路高さを有する傾斜通路を設け、
前記傾斜通路には、積層状態の玉の通路高さを玉２個高さより低い通路高さに規制する前崩し手段と、
前記前崩し手段の下流側に通路方向に互い違いの上層玉と下層玉とが上下２段の千鳥状に重なった上層玉の上部に接して玉２個高さより低い積層高さに規制する玉崩しレバーとを設けた
玉整列機構。
【請求項３】
前記玉崩しレバーは前記傾斜通路の上方より通路方向に傾動自由に吊支して設け、
該玉崩しレバーの下面には、前記傾斜通路に導かれた上層玉に押されて退避許容する上層玉受止め用の第１傾斜面と、
該第１傾斜面の後段側に位置して上層玉に重みをかけて接する押え込み用の第２傾斜面とを設けた請求項２記載の玉整列機構。
【請求項４】
前記玉崩しレバーは複数枚の薄板により構成され、前記薄板の個々を傾動自由に複数枚を１組として傾斜通路の幅方向に重ね合せて構成した請求項２および３記載の玉整列機構。
【請求項５】
上流側の貯留タンクと下流側の玉払出装置との間に請求項１〜４記載のいずれかの玉整列機構を備えた玉ホッパー。
【発明の詳細な説明】
【技術分野】
【０００１】
この発明は、例えばパチンコ遊技機の入賞玉の払出しや貸玉の払出し時に利用されるような玉整列機構に関し、さらに詳しくは玉の整列機能を高めて玉を高速に安定して流下させる玉整列機構および玉ホッパーに関する。
【背景技術】
【０００２】
以下、パチンコ遊技機を例にとって説明する。  
一般に、特許文献１および特許文献２に開示されるようなパチンコ遊技機は、パチンコ玉(以下、玉と称す)を遊技媒体として、パチンコ台の盤面裏側(背面側)からパチンコ台の前面側に玉を供給している。この玉の供給に際しては、パチンコ遊技機の盤面裏側上部に多数個の玉を貯留する貯留タンク(景品玉タンク)を設置し、この貯留タンクへは上方の補給機構から玉を補給させて貯留し、これより貯留した玉を下方に払出すようにしている。
【０００３】
この玉の払出し時に、貯留タンクから玉を整列する玉整列機構を介して、下方の玉払出し装置(入賞玉処理装置)に導き、ここで払出し指令された玉数を払出して、パチンコ遊技機の前面下部に位置する上皿または下皿に払出している。
【０００４】
このように、上流側の貯留タンクから供給された玉が玉整列機構を介して下流側の玉払出し装置へと導かれるが、この間の通路(樋)は玉が詰まらずにスムーズに下流へ転動していくように比較的緩やかな傾斜角度に設定している。また、玉整列機構は不規則に貯留された山積み状態の玉を例えば２列に整列させて玉払出し装置へと供給するため、整列する通路の距離を長く必要としていた。
【０００５】
このため、貯留タンク、玉整列機構および玉払出し装置をパチンコ台の盤面裏側に設けようとすると、貯留タンクから玉払出し装置までの一連の通路がＳ字状やＬ字状などの折り返し通路になってしまう。このため、貯留タンク、玉整列機構および玉払出し装置のそれぞれを高さ方向に積み重ねる形で配置しなければならず、それゆえ高さ方向の寸法が大きくなってしまい遊技台盤面裏側の配置スペースを大きく占有してしまっていた。
【０００６】
このため、遊技台の盤面裏側は取付けスペースが狭められ、この盤面裏側に搭載される取付け部品の取付け位置や取付ける大きさが制限されていた。例えば、大きな図柄を表示する表示装置を遊技台の盤面裏側中央部に取付けようとしても、取付け場所および取付けスペースが制約されて、表示装置を所望の位置に配設できず、また大きくすることができなかった。
【０００７】
さらに、上流では特許文献３にも開示されるように、貯留タンク内に多数の玉が山積みされて貯留されている。そして、その山積み状態の玉が、そのまま低位の下流側へと移動するため、下流側の玉整列機構においては玉圧を十分に回避できず、玉詰りが発生するおそれがあった。この玉整列機構での玉詰りの発生要因は、整列通路に玉が積重なって導かれたとき、上流から下流に向けて流下方向に玉数に応じた荷重が加わり、そのときの玉荷重に応じた玉圧により玉が上方の空間部へと押上げられ、この押上げ力が玉詰りの発生要因であり、この押上げ力に基づいて整列通路内での上下方向の玉詰りを生じさせている。
【０００８】
このため、整列通路の上方に玉ならし部材を対設させ、この振り子の玉ならし作用によって玉圧を下向きに分散させて玉をならしている。ところが、このときの玉圧は玉同士の抗力の総和であり、その範囲を限定することはできないため、完全に整列することが困難になっていた。
【０００９】
また、貯留タンクあるいは玉整列機構で玉詰りが発生した場合は、その度に係員による玉詰り除去作業を要して、遊技者にあっては遊技の中断が余儀なくされ、店舗側にあってはパチンコ遊技機の稼動率が低下してしまっていた。
【００１０】
ところで、下流側に流下する玉数を十分に絞って玉圧を低く設定することにより、玉詰りを回避することが考えられる。ところが、この場合は逆に玉の供給不足になり、高速の払い出しができなくなる。
【００１１】
【特許文献１】特開平８−７１２１２号公報。
【００１２】
【特許文献２】特開平５−２０８０６４号公報。
【００１３】
【特許文献３】特開２００２−４５５３９号公報。
【発明の開示】
【発明が解決しようとする課題】
【００１４】
そこでこの発明は、玉の流れを高速にして流下させる高速整列時であっても、玉の過不足がない玉の流れを確保して玉詰りを完全に回避する玉整列機能を持たせている。これにより、信頼性の高い安定した整列動作を得ることができ、しかもこの玉整列機能を短い距離に有して小型化を図ることができる玉整列機構および玉ホッパーを提供することを目的とする。
【課題を解決するための手段】
【００１５】
この発明は、玉３個高さより低いところから玉を最大２個高さに制限して通過させる通路高さを有する傾斜通路を設け、該傾斜通路には積層される玉が通路方向に互い違いの上層玉と下層玉との上下２段の千鳥状配列になる高さに規制する整列規制部材を備えたことを特徴とする玉整列機構である。
【００１６】
前記整列規制部材は傾斜通路の底面を基準に上方より積層して流下する上層玉に流下抵抗を与えて高さを制限する部材であり、ここを通過する玉を上下２段の千鳥状に整列できるガイド形状であればよく、通路の上面に固定して配設してもよく、玉の流動的な動きに対応させる可動であってもよく、さらに単体であっても複数であってもよい。
【００１７】
この発明によると、整列規制部材によって上流側から導かれた玉を上下２段の千鳥状の積層状態に整列させて流下させることができるため玉を高速に整列して流下させることができる。また、玉詰りのおそれが生じても、整列規制部材によってそのときの玉詰りの発生原因となる不具合な上下に重なる位置関係を回避させて玉詰りを未然に回避することができる。
【００１８】
この発明の別の構成では、玉を１列に通過させる通路幅と、玉３個高さより低いところから玉を最大２個高さに制限して通過させる通路高さを有する傾斜通路を設け、前記傾斜通路には、積層状態の玉の通路高さを玉２個高さより低い通路高さに規制する前崩し手段と、前記前崩し手段の下流側に通路方向に互い違いの上層玉と下層玉とが上下２段の千鳥状に重なった上層玉の上部に接して玉２個高さより低い積層高さに規制する玉崩しレバーとを設けたことを特徴とする玉整列機構である。
【００１９】
ここで、前崩し手段とは積層状態で流下されて来る玉の上層玉に流下抵抗を与えて予備的に高さ方向の玉崩しを行うものであって、傾斜通路の上方に配設すればよい。この前崩し手段は傾斜面のように固定であってもローラのように可動であってもよい。
【００２０】
この発明によると、流下して来た玉が上流側からの玉圧の変化によって仮に３段重ねになろうとしても前崩し手段によって最上層玉を崩して通路方向に互い違いの上層玉と下層玉との上下２段の千鳥状に流下ガイドする。このため、玉は下流に転動するに従って高さ方向が規則正しい千鳥状配列で流下する。その後は後段の玉崩しレバーの玉崩しガイド作用を受けて引続き玉は規則正しい千鳥状配列で流下するため高速の流下に適した整列ができる。
【００２１】
この発明の別の構成では、前記玉崩しレバーを前記傾斜通路の上方より通路方向に傾動自由に吊支して設け、該玉崩しレバーの下面には、前記傾斜通路に導かれた上層玉に押されて退避許容する上層玉受止め用の第１傾斜面と、該第１傾斜面の後段側に位置して上層玉に重みをかけて接する押え込み用の第２傾斜面とを設けて構成することができる。
【００２２】
この発明によると、積層状態で流下してきた玉のうち、上層玉が玉崩しレバーの第１傾斜面に当る。このとき、玉圧を受けた玉崩しレバーは通路方向の下流側に回動して退避移動する。この退避動作により当った上層玉の流下方向の玉圧力を吸収して玉の流れを損なわずに流下させることができる。一方、玉は流下抵抗を受けて流れに沿った安定した整列流下速度になる。
【００２３】
その後、第２傾斜面が上層玉の頂部に点接触して上方より千鳥状の上層玉に対して上動しないように押えつける役目を有している。これらの両傾斜面の両接触作用を受けて玉は不規則な重なりを崩して規則正しい千鳥状配列にて流下する。また、これらの両傾斜面を連設すれば整列性能が向上し、玉を短い距離で高速に整列することができる。
【００２４】
この玉崩しレバーを吊支することによって、上層玉の動きに追従しつつ上層玉を整列ガイドする役目を有し、さらに該レバーの荷重を常に下向きに働かせて玉を千鳥状配列高さとなる一定高さに押えつけることができる。
【００２５】
また、外部振動等の外的要因によって玉詰りのおそれが生じても、この玉崩しレバーの振り子状に傾動する動きによって、そのときの玉詰り方向にロックしようとする上層玉を変位させることができるため玉詰りを未然に回避することができる。
【００２６】
ことに、この玉崩しレバーに位置規制されながら通過する上層玉は、玉崩しレバーと接触する間の短い距離で直ちに整列される。具体的には玉が高速に流下したときに上層を走る上層玉の過剰な玉圧を吸収回避して高速流下する玉に適した流下速度に調整しながら流下させる機能を有している。
【００２７】
この発明の別の構成では、前記玉崩しレバーは複数枚の薄板により構成され、前記薄板の個々を傾動自由に複数枚を１組として傾斜通路の幅方向に重ね合せて構成することができる。
【００２８】
この発明によると、前記玉崩しレバーとして薄板を重ね合せた複数枚、例えば３枚１組として設けることができる。この場合は、３枚にしている関係で玉の頂点に一点が接触するのではなく、玉崩しレバーとしての個々の薄板が球面に沿って複数点で接触し、玉に接触する箇所が増えて玉との接触安定性が増し、より一層、玉崩しできる効果がある。
【００２９】
このように構成された玉整列機構を、上流側の貯留タンクと下流側の玉払出装置との間に備えて玉ホッパーを設ければ、上流側の貯留タンクからの玉圧にかかわらず高速に整列して流下させることができる。さらに、下流側の玉払出装置に対しても整列して高速に流下させる高速供給が可能になる。この結果、玉払出速度の速い高処理能力を有する玉ホッパーを備えたパチンコ遊技機を構築することができる。
【発明の効果】
【００３０】
この発明によれば、玉を積層状態で高速に流下させても玉詰りを回避した高速の整列を行う高速整列動作が得られる。このため、過不足のない玉の供給ができるほか、この玉整列機能を短い距離に持たせることができるため、玉の整列長さを短縮して小型化を図ることができる。
【実施例】
【００３１】
この発明の一実施例を以下の図面に基づいて説明する。  
図１はパチンコ遊技機の遊技台１１の盤面裏側を示し、この遊技台１１の盤面裏側の上部に玉ホッパー１２を配設し、盤面裏側の中央部に大型の表示装置や制御部等を備えた基板部１３を配設している。さらに、玉ホッパー１２の上面開口部と対向する上方には補給シュート１４が対設され、この補給シュート１４を介して玉ホッパー１２に上方から玉が補給される。また、玉ホッパー１２の下方には払出し通路１５が接続され、この払出し通路１５を通して玉は遊技台１１の前面下部に位置する受皿へと払い出される。
【００３２】
前記玉ホッパー１２は、図２にも示すように、横型に設置される貯留タンク１６と縦型に設置される玉払出装置１７とを逆Ｌ形状に一体に接続している。そして、この横長の貯留タンク１６の下流側端部に玉払出装置１７の上端部を連結することにより、双方を一体化して小型化したコンパクトな単体構成をとっている。
【００３３】
上述の貯留タンク１６は、図３に示すように、上面を開放した先細の凹形状を有し、この上面開放部に対して上方の補給シュート１４から玉が補給され、ここで多数個の玉を貯留許容している。この貯留タンク１６に貯留された玉Ｐを自重により転動させて上流側から下流側の玉払出装置１７へと導くように構成している。
【００３４】
この場合、玉Ｐを上流側から下流側に円滑に通過させるために玉払出装置１７の前段には整列通路１８を形成している。この整列通路１８は貯留タンク１６の下流側の先端部に細長い整列用の通路を一体に突出させて構成している。
【００３５】
ところで、上流側に設置される貯留タンク１６内のタンク底面から下流側に設置される玉払出装置１７に玉を払い出す底面にかけては、同一傾斜方向に緩やかに傾斜させて直進する長い同一傾斜通路Ｌに設けている。
【００３６】
この同一傾斜通路Ｌは、貯留タンク１６から整列通路１８へと玉を転動させて通過させる通路の底面を、同一傾斜方向の緩やかな傾斜角度に設定して接続した通路である。このため、玉が自重により上流側から下流側へと緩やかに転動する。
【００３７】
次に、整列通路１８について説明する。  
貯留タンク１６の下流側の先端部には、該貯留タンク１６に貯留された積層状態に貯留されている玉Ｐを１列に整列させて流下させるように両側に立ち上げた壁のうち、一方の片壁側を狭めて先端部を先細に絞り、その絞った細長い通路を前方に長く延設し、この延設部分を整列通路１８に設けている。
【００３８】
また、整列通路１８の絞った一方の片壁の上流側には玉圧を上流側で受止めて玉圧を減圧させるための通路方向に対する傾斜角度を大きくとった急絞り傾斜面１８ａを有し、他方の片壁の上流側から下流側にかけては通路方向に対する傾斜角度を小さくとった緩絞り傾斜面１８ｂを有している。これらの両傾斜面１８ａ，１８ｂの傾斜方向を異ならせることによって、タンク内での玉の流下方向を集中させず、分散させながら下流側に流下させることができる。これによって、整列通路１８に玉圧が直接加わるのを防いでいる。
【００３９】
さらに、整列通路１８の底部には異物排除用に格子状に開口した排除口１８ｃを数個有している。これにより、貯留タンク１６内に異物が混入しても、その下流側の整列通路１８に移動した時点で、異物は排除口１８ｃより落下して自然に排除される。このため、整列通路１８に玉Ｐを整列させて通過させたときは、常に玉Ｐのみを通過させて、異物の混入による玉詰りを未然に回避できる。
【００４０】
さらに、整列通路１８には、図４に示すように、天板１９と、玉崩し機構２０と、玉通過規制機構２１と、玉払出装置の着脱機構１７Ａと、連結フレーム２２とが取付けられる。
【００４１】
前記天板１９は、図５にも示すように、貯留タンク１６の下流側上部に、タンク下流側の絞り形状と同形状を有して整列通路１８の上面を覆うＬ形板で構成している。この天板１９のＬ形の垂直部分を受止め片１９ａに設けて貯留タンク１６の下流側上部に垂直に対応させている。
【００４２】
これにより、該貯留タンク１６から重なり移動する玉の上層部を受止めて、山積み状態にある玉Ｐの上層部の流れを阻止する役目を有している。このため、下部層の玉だけを流下させることができ、これ以降は玉数を十分に減らして下流側に少量ずつ供給することができる。これにより、下流側への玉圧を一層軽減できることになり、貯留タンク１６から１列の通路に絞り込まれる整列通路１８側への玉Ｐの供給に適した円滑な流れを確保している。
【００４３】
また、天板１９を設けたことにより、貯留タンク１６に供給された玉Ｐが仮に勢いよく飛び跳ねて整列通路１８や後述する玉払出装置１７に至っても、該天板１９で遮って飛び込まなくなるので玉詰りや誤動作を誘起することもない。
【００４４】
次に、玉崩し機構２０について説明する。  
この玉崩し機構２０は整列通路１８の下流側を挟む両側に、平行して対設した左右一対の軸支ブロック２３，２４間に通路方向に直交する軸支ピン２５を架設し、この軸支ピン２５に玉崩しレバー２６を吊支して、軸支ピン２５を傾動支点に玉崩しレバー２６を通路方向に振り子状に回動許容して設けている。
【００４５】
前記玉崩しレバー２６は、図６および図７に示すように、コ形状を有する金属板の開放面を上向きにし、該コ形状の一端に開口した軸支孔２６ａを頂部に吊支した上流側に対向する下面を玉崩し接触面として、さらに２段階に傾斜させて設けている。このうち、傾斜方向に対して上流側には急傾斜する第１傾斜面２６ｂを、同じく傾斜方向に対して下流側には緩傾斜する第２傾斜面２６ｃを形成している。
【００４６】
図８は玉崩しレバー２６の取付け状態を示し、整列通路１８の幅に対応させて玉崩しレバー２６を３枚１組に連設させて吊支している。該玉崩しレバー２６は整列通路１８の通路幅に対応させた厚さを有する１枚で構成してもよい。
【００４７】
この玉崩しレバー２６の前段には、整列通路１８の上方に位置して、予備的に高さ方向の玉崩しを行う前崩し傾斜面２７を有している。この前崩し傾斜面２７は両側の軸支ブロック２３，２４間に介在させればよく、例えば一方の軸支ブロック２４の通路面側に一体に突出させて設ければよい。この前崩し傾斜面２７の前崩し機能としては整列通路１８の通路方向に対し、互い違いで玉２個半分の高さに流下ガイドして玉崩しレバー２６の前段で予め上面を玉崩しするガイド機能を有している。このため、玉が下流に転動するに従って高さ方向が規則正しい千鳥状配列で流下するように玉２個分の高さになる傾斜角度を有している。このように、玉が整列通路１８の下流側では幅方向は１列で、高さ方向は互い違いの千鳥状で２個以上の高さに重ならないように規制している。この場合、高さ方向を２列にすることにより上流側からの玉の供給不足を解消している。
【００４８】
この前崩し傾斜面２７の後段に位置する玉崩しレバー２６の外周面に形成される傾斜面のうち、第１傾斜面２６ｂは該玉崩しレバー２６が最上方に回動した際に、前崩し傾斜面２７の傾斜角度と同じ傾斜角度になるようにして、ここに導かれた玉が規則正しい千鳥状配列で流下するように規制している。第２傾斜面２６ｃにおいては、玉崩しレバー２６が最下方に回動した際(玉非接触状態のとき)に、該第２傾斜面２６ｃの最下面が玉１個半の高さ位置になるように設定して上層玉に確実に接触させて千鳥状配列させる玉崩し力を持たせている。また、玉崩しレバー２６の吊支作用によって、下部の両傾斜面２６ｂ，２６ｃが金属の重さで下方向に加わりやすい形状に構成している。
【００４９】
図９(Ａ)は玉崩しレバー２６の待機状態を示し、この玉崩しレバー２６が玉との非接触の待機状態では上流側に対向する該レバー２６の前端面２６ｄが前崩し傾斜面２７の下流側の端面に相当する係止面２８に当って静止している。
【００５０】
図９(Ｂ)は玉崩しレバー２６の初期接触状態を示し、整列通路１８を玉２個分の高さで千鳥状に送られて来た上層玉と下層玉のうち、上層玉に第１傾斜面２６ｂが接触して流下抵抗を与える。これにより、上流の貯留タンク１６から加わる上層玉の玉圧が減圧される。
【００５１】
図１０(Ａ)は初期玉崩し状態を示し、第２傾斜面２６ｃの始端側が上層玉の頂部に点接触して玉崩しレバー２６が押し上げられつつ、該玉崩しレバー２６の荷重を上層玉に与えて玉崩し作用を行う。
【００５２】
さらに、玉が下流に転動して行くと、図１０(Ｂ)に示すように、第２傾斜面２６ｃの終端側が玉Ｐに点接触して玉崩しレバー２６を最も押し上げた状態になる。このとき、玉崩しレバー２６の下流側に働く下方向の荷重によって、玉の重なりを崩し、上流側から加わる玉圧をも減圧する玉崩し作用が得られる。これにより、玉Ｐは整列通路１８を上流から下流に転動するにつれて高さ方向に互い違いの千鳥状で２個から１個へと整列させることができる。
【００５３】
図１１(Ａ)に示すように、玉崩しレバー２６により玉崩しされた玉は同一傾斜通路Ｌの傾斜方向から下向きへと湾曲して千鳥状配列のまま降下ガイドする弯曲ガイド部２９へと移動する。この弯曲ガイド部２９の下方には玉を１個出しを許容する玉流下口３０を開口しており、この玉流下口３０より玉Ｐは１個ずつ放出される。
【００５４】
図１１(Ｂ)は玉の流下状態を示し、弯曲ガイド部２９に沿って玉は転動して玉流下口３０より降下し、下方に接続される玉払出装置１７へと供給される。
【００５５】
ところで、この玉崩しレバー２６は玉寸法より短い複数枚の薄板により構成され、前記薄板の個々を傾動自由に３枚を１組として傾斜通路の幅方向に重ね合せて構成している。このため、図２８に示すように、３枚にしている関係で玉Ｐの頂点に一点が接触するのではなく、玉崩しレバー２６としての個々の薄板が球面に沿って複数点で接触し、玉に接触する箇所が増えて玉との接触安定性が増し、より一層、玉崩しできる効果が得られる。
【００５６】
ここでは、金属製の玉崩しレバー２６を用いて荷重を持たせた一例を示したが、該レバー２６の全体を樹脂で構成し、その下流側の端部に重い金属体を埋め込んで構成してもよく、いずれも下流側に荷重が集中するバランスをとって構成するのが適している。
【００５７】
仮に、玉崩しレバー２６がない場合を考えてみた場合、例えば図１２に示すように、整列通路１８の上下方向で上層玉Ｐ１と下層玉Ｐ２が規則正しい千鳥状に導かれても、外部からの衝撃や振動等を受けたときに上下に重なってロックするおそれがあり、このときに玉詰りを発生させてしまう可能性がある。よって、この玉崩しレバー２６を配設することにより、玉の上動を規制して玉詰りのない安定した玉の流れを確保することができる。
【００５８】
この玉崩しレバー２６の外面側に相当する軸支ブロック２３には玉通過規制機構(図４参照)２１と玉払出装置の着脱機構１７Ａとを取付けている。玉通過規制機構２１は、一方の軸支ブロック２３の外側面に９０度程度回転操作可能な玉通過規制つまみ３１を取付けて構成している。
【００５９】
前記玉通過規制つまみ３１は、外面に手動回転操作用のつまみ部３１ａを有し、内面につまみ軸３１ｂと弓形の玉通過規制アーム３１ｃとを有し、つまみ軸３１ｂにコイル状の玉通過規制バネ３３を挿通させた状態でつまみ軸３１ｂを軸支ブロック２３に横貫させ、該玉通過規制つまみ３１を回動自由にして軸端部をフランジ付きネジ３４で固定している。
【００６０】
前記玉通過規制アーム３１ｃは、図１３にも示すように、つまみ軸３１ｂを回動支点に下方に弓形に垂設している。この弓形の玉通過規制アーム３１ｃを、前記玉流下口３０を開口する開位置と閉鎖する閉位置に回転移動可能に設けている。このため、通常は玉通過規制アーム３１ｃが上方に待機して玉流下口３０を開放している。このとき、玉通過規制機構２１は玉崩しレバー２６の側面より玉通過規制バネ３３のバネ力を受けて、整列通路１８の外方に飛び出て退避している。このため、整列通路１８に導かれた玉を、これより下方の玉払出装置１７へと流下供給した状態にある。
【００６１】
これに対し、玉止めするときは、つまみ部３１ａを押しながら時計方向に回動(約９０度)させて、玉通過規制アーム３１ｃで玉流下口３０を閉鎖する。そして、玉流下口３０が玉通過規制アーム３１ｃにより玉止めされたとき、該アーム３１ｃの先端部が貯留タンク１６側の最下流部の玉と、玉払出装置１７側の最上流部の玉との上下間に介入して、貯留タンク１６と玉払出装置１７との境を仕切る。これにより、玉払出装置１７へと玉が流下するのを玉止めする。
【００６２】
この玉通過規制機構２１を操作することによって、貯留タンク１６からの玉の供給を通過と規制とに切換えることができる。従って、通常は玉通過規制機構２１を開放して貯留タンク１６から下方の玉払出装置１７へと玉の通過を許容して、玉を払い出し許可状態に待機させておく。そして、例えばメンテナンスや玉詰り発生のために玉払出装置１７を遊技台１１の盤面裏側から取外すときは、その取外しに先立って玉通過規制機構２１によって玉止めして玉流下口３０からの玉の流出を規制する。このため、係員は玉通過規制機構２１のつまみ部３１ａを回して開閉操作するだけで簡単に玉の通過と規制を切換えることができる。また、玉払出装置１７を貯留タンク１６と分離させて取外す際も、簡単に仕切ることができるため貯留タンク１６との接続部分での玉漏れのおそれもない。
【００６３】
前記玉払出装置の着脱機構１７Ａは、図１４にも示すように、一方の軸支ブロック２３の外面に突出する上下のガイドピン２３ａ，２３ｂに上下方向にスライド可能に係合して取付けられ、コイル状のロックバネ３５によって下向きに付勢した状態でロックレバー３２を取付けている。
【００６４】
このロックレバー３２はロックバネ３５を圧縮した状態で取付けられ、このロックレバー３２の内端部が玉払出装置１７を接続したときの上部を押圧して玉払出装置１７をロックしている。
【００６５】
このように貯留タンク１６と玉払出装置１７との接続に際しては、玉払出装置１７の着脱機構によって直結状態に取付けている。そして、ロックレバー３２を指先で上向きに押すと、該ロックレバー３２はロックバネ３５のバネ圧に抗して上向きにスライドし、これに基づいてロックが外れ、玉払出装置１７の取外しが許容される。また、取付ける場合はロックレバー３２を押上げた状態で玉払出装置１７を当てがえばロックして取付けることができる。
【００６６】
このように玉払出装置１７を簡単にロック、ロック解除して着脱できる構成のため、保守点検などのメンテナンスを行う場合には、遊技台１１から玉払出装置１７を簡単に取外してメンテナンス作業ができ、その後は再び簡単に取付けることができる。
【００６７】
前記連結フレーム２２は、貯留タンク１６と玉払出し装置１７との双方を一体に連結して玉ホッパー１２を構築する連結部材として設けられ、またこの連結フレーム２２を介して玉ホッパー１２を遊技台１１の背面側に一体に取付けるものである。
【００６８】
次に、玉払出装置１７について説明する。  
前記玉払出装置１７は、図１５〜図１７に示すように、スプロケット４１と、駆動モータＭと、遊星歯車機構４２と、玉有無検知センサＳ１と、計数検知センサＳ２と、回転位置検知センサＳ３と、これらを内蔵するケーシング４３と、その側面カバー４４と、両側の補助カバー４５，４６とから構成される。
【００６９】
上述のスプロケット４１は一端面を閉鎖した筒状体を有し、この筒状体の外周面に玉を１個ずつ区切って回転送りするための非対称形状の爪形状を有する送り爪４７を等分配設している。
【００７０】
このスプロケット４１の一方の閉鎖端面には、図１８にも示すように、その軸心部より外向きに突出する支軸４８を突設し、この支軸４８に軸受ローラ４９を嵌合させた状態で側面カバー４４の軸支孔４４ａに挿通して該スプロケット４１を回転自由に軸支している。この閉鎖端面の環状方向には等分して切り欠き形成された回転位置検知用のスリット５０を配設している。
【００７１】
他方の開口端面側の筒状内周面には、図１９に示すように、内歯車５１を形成し、この内歯車５１に駆動モータＭにより駆動される遊星歯車機構４２の各歯車５２，５３を噛合させて該スプロケット４１を回転駆動する。
【００７２】
上述の遊星歯車機構４２は駆動モータＭの主軸に連結された太陽歯車５４を中心とする周方向に第１遊星歯車５２と第２遊星歯車５３との２個の遊星歯車５２，５３を前記スプロケット４１の内周面に囲まれる中空部に配設している。そして、これらの遊星歯車５２，５３を太陽歯車５４に噛合させるとともに、前記内歯車５１に噛合させて太陽歯車５４からの回転駆動力を、各遊星歯車５２，５３を介してスプロケット４１に伝達している。
【００７３】
これらの各遊星歯車５２，５３は各回転軸が固定円板５５に軸支され、この固定円板５５は駆動モータＭを保持した状態で後述するケーシング４３に一体に取付けられる。さらに、スプロケット４１の内周面には表面が滑らかな回転ガイド面５６を有しており、この回転ガイド面５６に固定円板５５にてピン５７ａにより支持された３個の位置決めローラ５７を等分配設して支持している。これにより、スプロケット４１は定位置に位置決めされて該スプロケット４１の変動のない円滑な回転を確保している。
【００７４】
前記ケーシング４３はスプロケット４１を片方より覆う円板状に設けられ、さらにモータカバーとして兼用して覆っている。このケーシング４３の外側面の下部周方向には、異物排除用に開口した排除口４３ａを有している。この排除口４３ａを設けることにより異物は排除口４３ａより落下して排除される。
【００７５】
一方、ケーシング４３の内側面には、前記駆動モータＭと遊星歯車機構４２とを支持する固定円板５５を取付け、さらにその内側面の対向位置にはスプロケット４１を支持した側面カバー４４で覆って連結している。また、この側面カバー４４の外側面の下部周方向にも異物排除用の排除口４４ｂを開口している。
【００７６】
前記ケーシング４３の中央部には駆動モータ介在用に円形の中空部４３ｂを形成し、この中空部４３ｂに駆動モータＭを貫通状態に配置して軸方向にケーシング４３と駆動モータＭとを重合配置している。これにより、玉払出装置１７の軸方向(厚さ方向)を短縮して薄型化を図っている。
【００７７】
同様にスプロケット４１の中空部にも遊星歯車機構４２の各歯車５２，５３を介在させて軸方向に重合配置し、軸方向の空間部を有効利用して玉払出装置１７を薄型化している。
【００７８】
このケーシング４３の内周面とスプロケット４１の外周面との間に形成される環状対向面間に、玉Ｐを１個ずつ送り爪４７で回転送りする環状通路５８を構成している。この環状通路５８のうち、図２０に示すように右半周は玉払出通路５８ａとして使用し、図２１に示すように左半周は玉抜き通路５８ｂとして使用する。
【００７９】
そして、この環状通路５８に導かれた玉Ｐは１個ずつスプロケット４１の回転に伴って送り動作されるため、供給された玉Ｐを途切れることなく連続的に払い出し動作する。
【００８０】
前記環状通路５８の上面に開口する入口の玉供給口５９には近接センサなどの玉有無検知センサＳ１を配設し、環状通路５８に玉が供給されたことを検知する。さらに、この環状通路の下面に開口する出口の玉払出口６０には近接センサなどの計数検知センサＳ２を配設し、環状通路５８を通って玉が払い出されたとき、この計数検知センサＳ２が払い出された玉を検知して計数する。
【００８１】
さらに、側面カバー４４の外面には、これより内方に臨ませてスプロケット４１上のスリット５０を検知する回転位置検知センサＳ３を配設して、スプロケット４１と一体に回転する前記スリット５０でスプロケット４１の回転位置を検知する。
【００８２】
前記玉抜き通路５８ｂは、貯留タンク１６に貯留されている玉Ｐを係員が回収玉として回収するときに利用するものであって、この場合、玉払出通路５８ａとは反対側の位置に左半円状に形成し、玉払出装置１７に玉払出し通路５８ａと玉抜き通路との両通路を一体に内部構成している。このため、玉払出装置１７としての本来の玉払出通路５８ａと、玉抜き通路５８ｂとを一体的に設けることができ、玉抜き通路専用の独立した新たなスペースが不要になる。
【００８３】
ところで、前記環状通路５８は、該通路の上部中心位置に玉供給口５９を開口し、下部中心位置に玉払出口６０を開口している。さらに、該環状通路５８の玉抜き通路５８ｂ側の側方位置に、該玉抜き通路５８ｂより分岐して下向きに開口する玉抜き口６１を設けている。
【００８４】
このうち、玉払出口６０の開口位置を環状通路５８の下部中心位置に設けることにより、上部の玉供給口５９からスプロケット４１の回転力を受けて回転送りされる玉Ｐは周方向に半周分玉を搬送して、環状通路の最上部から最下部まで機械的に動力伝達される。このため、スプロケット４１を高速回転すれば、玉を高速に払い出すことができる。
【００８５】
さらに、スプロケットを正逆転させることによって、一方の回転方向に伴う払い出し動作と他方の回転方向に伴う玉抜き動作が簡単に行える。また、玉払出口６０に計数検知センサＳ２を配設しているため、速いタイミングで検知できる。このため検知情報も高速化することができ、これに伴って玉を一層早く払い出すことができる。
【００８６】
また、玉供給口５９に玉有無検知センサＳ１を配設することによって、供給された玉の有無を検知できる。このため、玉が無いことを検知した場合は貯留タンク内の玉切れや上流側の整列通路での玉詰りの発生と検知して空取り込みを防止することができる。従って、このときは玉の供給動作や払い出しを規制することができる。そして、これらの両センサＳ１，Ｓ２を備えることによって、玉の供給と払い出しとの両検知信号から玉払出装置１７での現時点の玉の流れを一層正確に管理することができる。
【００８７】
前記玉抜き通路５８ｂと玉抜き口６１との開口対応部分には、図２２に示すように玉詰り回避用の板バネ６２を対設している。この板バネ６２は逆くの字形を有し、その中央部の膨らみ部６２ａを環状通路内の外周面側から内周面側に向けて一端部を固定して取付けている。そして、図２３(Ａ)に示すように玉の回転方向を払出待機状態から、図２３(Ｂ)に示すようにスプロケット４１を逆転(図中反時計方向)させて玉払出し通路５８ａに介在していた玉および玉供給口５９から1個ずつ供給された玉Ｐを玉抜き方向に回転送りするとき、図２３(Ｃ)に示すように玉Ｐは玉抜き通路５８ｂ側に連続して逆転送りされる。その後は、図２３(Ｄ)に示すように玉抜き通路５８ｂから玉抜き口６１へと至る。
【００８８】
このとき、図２４(Ａ)に示すように、玉抜き口６１へと至った玉Ｐは、玉抜き降下時に板バネ６２の膨らみ部６２ａと接触し、該バネ６２の弾性力に抗して押えつけながら下向きに移動する。その後は、図２４(Ｂ)に示すように、板バネ６２を後退させて通過した玉Ｐは玉抜き口６１へと降下して玉抜きされる。
【００８９】
このため、板バネ６２を玉抜き通路５８ｂと玉抜き口６１との交差部分に介在させても玉抜き動作時は上方から下方へと玉抜き方向の玉圧に板バネ６２が退避して玉抜き動作には支障がない。それゆえ、連続的な玉抜き動作を継続させることができる。
【００９０】
これに対し、玉抜き動作から払い出し動作に切換えるときは、モータを逆転駆動から正転駆動に切換えればよい。これに伴いスプロケット４１も逆転から正転に切換わり、玉Ｐは逆転送りから正転送りになる。
【００９１】
ところで、玉抜き時は玉払い出し時と異なり、スプロケット４１が、どの状態で停止されているかを検知する必要性がないため、例え、玉が環状通路５８内に残留していても、玉抜き待機状態から払い出し状態に切換えられた場合に、玉抜き口６１に玉が落下して玉抜き口６１とスプロケット４１の送り爪先端部との間でロックして玉詰りを発生させるおそれがある。
【００９２】
ところが、図２５(Ａ)に示すように、その位置には板バネ６２が位置してスプロケット４１側に付勢しているため、ここに玉Ｐが導かれても、図２５(Ｂ)に示すように玉Ｐはスプロケット４１の力を受けながら板バネ６２により弾性支持されて通路空間内での玉の動きを許容している。このため、玉Ｐは一点で支持されることがなく、スプロケット４１の送り爪先端部の凸部対応を避けた凹部位置へと容易に移動ガイドされることになる。よって、玉詰りは未然に回避される。
【００９３】
この結果、玉抜き口６１の付近に玉がロック状態になりやすい位置にあっても、板バネ６２によって付勢ガイドしているため、この付勢ガイド作用を受けた玉は玉抜き口６１に落下せず、図２５(Ｃ)に示すように、玉抜き通路５８ｂを逆向きに回転送りガイドされて払出動作へと切換えられる。このため、玉詰りのおそれがなくなり、信頼性の高い安定した回転送り動作を実行させることができる。
【００９４】
次に、玉抜き口６１の付近に玉Ｐが介在している状態でスプロケットの回転方向を逆向きに切換えたときの玉詰り回避原理を図２５(Ａ)および図２６の説明図を参照して説明する。
【００９５】
ｍ：玉自重による鉛直方向のベクトル
ｄ１：スプロケット歯先の接触点から玉中心(重心)方向へ加えられるベクトル
Ｄ：ｍおよびｄ１により、玉に与えられる合成ベクトル
ここでさらに、Ｄは板バネの抗力Ｆｔと、進行方向への推進力Ｆｓとに分解される。このとき、板バネの抗力Ｆｔは板バネの弾性により吸収されるため、
Ｆｓ＞Ｆｔ
の関係を有する。この結果、玉Ｐは上方へ押し上げられる。これにより、玉Ｐはスプロケット４１の送り爪先端部の凸部対応を避けた送り爪間の半円形の凹部位置へと移動ガイドさせて玉詰りを回避することができる。
【００９６】
ところで、もし板バネ６２がない玉抜き通路２７１を考えてみた場合、図２７に示すように、玉Ｐが玉抜き通路２７１に残留して、玉抜き待機状態から払い出し状態に切換わったときに、スプロケット４１の送り爪４７から玉Ｐが落下して玉抜き口６１の位置で玉Ｐが送り爪４７により挟みこまれ、スプロケット４１の送り爪先端部の押圧力と、玉抜き通路２７１の壁面との抗力が同じになり、結果的にロック現象を起して玉詰りを発生させてしまう。
【００９７】
このように構成された玉ホッパー１２における玉の払い出し処理動作を次に説明する。  
遊技台１１の盤面裏側の上部に設置された玉ホッパー１２の貯留タンク１６には、多数個の玉が払い出し待機された状態に貯留されている。この待機状態から、今、パチンコ遊技機の全体を制御する図示しないメイン制御部から玉の払い出し信号が入力されて駆動モータＭが正転駆動（時計方向に回転駆動）されると、この駆動に基づいて貯留タンク１６内の玉は自重により転動して、整列通路１８を通って流下し、玉流下口３０へと至る。この間に玉は１列に整列されて下流側の玉払出装置１７へと導かれる。
【００９８】
この玉払出装置１７では供給された玉Ｐをスプロケット４１の回転送り動作により環状通路５８を降下させて定められた玉数を払い出す。そして、払い出された玉Ｐは遊技台前面側の上皿または下皿へと払い出される。
【００９９】
ところで、貯留タンク１６の貯留玉が残少したことを、図示しないタンクスイッチが検知した場合は、これに基づいて直ちに補給シュート１４から補給玉が貯留タンク１６へと補給される。この貯留タンク１６からは整列された玉Ｐが玉払出装置１７側に１個ずつ連続的に供給される。
【０１００】
さらに、玉払出装置１７に玉詰りが発生、あるいは保守点検等によって該玉払出装置１７を取外す場合は、先ず、玉通過規制機構２１の玉通過規制つまみ３１を閉操作して、玉供給口５９への流下を止める。この玉止めした状態で着脱機構１７Ａのロックレバー３２を押上げ操作すれば、ロックが外れて玉払出装置１７の取外しができる。
【０１０１】
次に、玉ホッパー１２内に存在する玉を玉抜きする処理動作について説明する。  
玉ホッパー１２の貯留タンク１６から玉払出装置１７にかけては払い出しに備えて多数個の玉Ｐが待機された状態になっている。この待機状態から玉抜き信号が入力されて駆動モータＭを逆転駆動すると、この玉払出装置１７の環状通路５８では予め貯留タンク１６から供給された玉Ｐをスプロケット４１の回転送り動作により、玉抜き通路５８ｂ側に回転送りする。その後は、玉抜き通路５８ｂを降下して下方に接続されている図示しない玉抜き用の回収通路から遊技台１１の盤面裏側に接続されている図示しない玉回収装置へと導かれる。
【０１０２】
この玉抜き時には、先に玉払出装置１７内の玉から玉抜きされるが、それが払い出されると順次貯留タンク１６より玉払出装置１７内へ玉が供給されて、順次玉抜きが行われる。
【０１０３】
上述のように、貯留タンクと玉払出装置との間に配設される整列通路は前崩し傾斜面と玉崩しレバーとを有しているため、これらによって上流側から積層状態のまま導かれる玉の流下方向の過剰な圧力を回避し、また玉詰りを回避しながら整列することができる。さらに、下流側に配設される玉払出装置へは連続して流下する高速の玉の供給を実現することができる。
【０１０４】
この発明の構成と、上述の実施例の構成との対応において、この発明は請求項に記載される技術思想に基づいて応用することができ、上述の一実施例の構成のみに限定されるものではない。
【図面の簡単な説明】
【０１０５】
【図１】玉ホッパーを備えた遊技台の盤面裏側を示す要部背面図。
【図２】玉ホッパーを示す斜視図。
【図３】貯留タンクの玉の流下状態を示す平面図。
【図４】整列通路の付近を分解して示す分解斜視図。
【図５】玉ホッパーの使用状態を示す内部構成図。
【図６】玉ホッパーの玉整列状態を示す斜視図。
【図７】玉崩しレバーを示す拡大斜視図。
【図８】玉崩しレバーと前崩し傾斜面の使用状態を示す要部斜視図。
【図９】玉崩しレバーの待機状態と初期接触状態を示す要部説明図。
【図１０】玉崩しレバーの玉崩し状態を示す要部説明図。
【図１１】玉崩しレバーによる玉崩し後の玉の流れを示す要部説明図。
【図１２】玉崩しレバーのない場合の玉詰り発生状態を示す説明図。
【図１３】玉通過規制機構の玉通過規制状態を示す要部斜視図。
【図１４】玉払出し装置の着脱機構の使用状態を示す要部斜視図。
【図１５】玉払出装置の右斜め側から見た外観斜視図。
【図１６】玉払出装置の左斜め側から見た外観斜視図。
【図１７】玉払出装置の分解斜視図。
【図１８】スプロケットの左斜め側から見た要部斜視図。
【図１９】スプロケットの右斜め側から見た要部斜視図。
【図２０】玉払出装置の玉払出動作を示す説明図。
【図２１】玉払出装置の玉抜き出動作を示す説明図。
【図２２】板バネの取付け状態を示す玉払出装置の要部斜視図。
【図２３】玉払出装置の玉抜き動作を示す玉抜き動作説明図。
【図２４】玉抜き口に玉抜きされる状態を示す要部拡大説明図。
【図２５】板バネによる玉詰り解除動作を示す要部説明図。
【図２６】板バネによる玉詰り回避原理を示す要部拡大説明図。
【図２７】玉払出装置の玉詰り発生状態を示す説明図。
【図２８】３枚１組の玉崩しレバーと玉との関係を示す要部正面図。
【符号の説明】
【０１０６】
１２…玉ホッパー
１８…整列通路
２０…玉崩し機構
２６…玉崩しレバー
２６ｂ…第１傾斜面
２６ｃ…第２傾斜面
２７…前崩し傾斜面
Ｌ…同一傾斜通路
Ｐ，Ｐ１，Ｐ２…玉
【図１】
2006043256.tif 000003
【図２】
2006043256.tif 000004
【図３】
2006043256.tif 000005
【図４】
2006043256.tif 000006
【図５】
2006043256.tif 000007
【図６】
2006043256.tif 000008
【図７】
2006043256.tif 000009
【図８】
2006043256.tif 000010
【図９】
2006043256.tif 000011
【図１０】
2006043256.tif 000012
【図１１】
2006043256.tif 000013
【図１２】
2006043256.tif 000014
【図１３】
2006043256.tif 000015
【図１４】
2006043256.tif 000016
【図１５】
2006043256.tif 000017
【図１６】
2006043256.tif 000018
【図１７】
2006043256.tif 000019
【図１８】
2006043256.tif 000020
【図１９】
2006043256.tif 000021
【図２０】
2006043256.tif 000022
【図２１】
2006043256.tif 000023
【図２２】
2006043256.tif 000024
【図２３】
2006043256.tif 000025
【図２４】
2006043256.tif 000026
【図２５】
2006043256.tif 000027
【図２６】
2006043256.tif 000028
【図２７】
2006043256.tif 000029
【図２８】
2006043256.tif 000030